(57)【要約】  環境制御システム（１０）は、対象者（２００）が位置する空間（３００）の温度を調整するための空調装置（３０）と、空調装置（３０）を用いて、空間（３００）の温度を上げる第一制御、及び、空間（３００）の温度を最大値から最小値までの幅が３℃未満となるように周期的に変化させる第二制御を行うことにより、対象者（２００）の副交感神経の働きを交感神経の働きよりも優位にする制御を行う制御装置（１２０）とを備える。
2020090640.tif 000002
【特許請求の範囲】
【請求項１】
対象者が位置する空間の温度を調整するための空調装置と、
前記空調装置を用いて、前記空間の温度を上げる第一制御、及び、前記空間の温度を最大値から最小値までの幅が３℃未満となるように周期的に変化させる第二制御を行うことにより、前記対象者の副交感神経の働きを交感神経の働きよりも優位にする制御を行う制御装置とを備える
環境制御システム。
【請求項２】
対象者が位置する空間の換気を行う換気装置と、
前記換気装置を用いて、前記空間における二酸化炭素濃度を１０００ｐｐｍ以上にすることにより、前記対象者の副交感神経の働きを交感神経の働きよりも優位にする制御を行う制御装置とを備える
環境制御システム。
【請求項３】
さらに、前記空間の温度を調整するための空調装置を備え、
前記制御装置は、前記制御において、前記空調装置を用いて、前記空間の温度を上げる第一制御、及び、前記空間の温度を最大値から最小値までの幅が３℃未満となるように周期的に変化させる第二制御を行う
請求項２に記載の環境制御システム。
【請求項４】
前記第一制御は、前記空調装置を用いて一定時間をかけて前記空間の温度を上げる制御であり、
前記第二制御は、前記空調装置を用いて、前記一定時間とは異なる周期で、前記空間の温度を最大値から最小値までの幅が３℃未満となるように周期的に変化させる制御である
請求項１または３に記載の環境制御システム。
【請求項５】
さらに、前記空間を照らす照明装置を備え、
前記制御装置は、前記制御の開始当初に、前記照明装置を用いて前記空間の照度を下げる
請求項１〜４のいずれか１項に記載の環境制御システム。
【請求項６】
さらに、前記空間を照らす照明装置を備え、
前記制御装置は、前記制御の開始当初に、前記照明装置が発する光の色温度を下げる
請求項１〜５のいずれか１項に記載の環境制御システム。
【請求項７】
さらに、前記空間へ取り入れられる外光の量を調整する外光調整装置を備え、
前記制御装置は、前記制御の開始当初に、前記外光調整装置を用いて前記空間へ取り入れられる外光の光量を低減する
請求項１〜６のいずれか１項に記載の環境制御システム。
【請求項８】
さらに、前記空間に配置された間接照明装置を備え、
前記制御装置は、前記制御において、前記間接照明装置が発する光の照度をゆらがせる
請求項１〜７のいずれか１項に記載の環境制御システム。
【請求項９】
さらに、前記空間に配置された間接照明装置を備え、
前記制御装置は、前記制御において、前記間接照明装置が発する光の発光色を変更可能である
請求項１〜８のいずれか１項に記載の環境制御システム。
【請求項１０】
さらに、前記空間に配置された、スピーカ及び香り発生装置を備え、
前記制御装置は、前記制御において、前記スピーカが発する音を変化させ、かつ、前記香り発生装置が発する香りを変化させる
請求項１〜９のいずれか１項に記載の環境制御システム。
【請求項１１】
さらに、前記空間における環境情報を計測する計測装置を備える
請求項１〜１０のいずれか１項に記載の環境制御システム。
【請求項１２】
前記制御装置は、現在時刻情報を取得し、取得した前記現在時刻情報に基づいて前記制御を実行する
請求項１〜１１のいずれか１項に記載の環境制御システム。
【請求項１３】
前記制御装置は、前記対象者の生体情報を取得し、取得した前記生体情報に基づいて前記制御を実行する
請求項１〜１２のいずれか１項に記載の環境制御システム。
【請求項１４】
対象者が位置する空間の温度を調整するための空調装置を用いて、前記空間の温度を上げた後、前記空間の温度を最大値から最小値までの幅が３℃未満となるように周期的に変化させることにより、前記対象者の副交感神経の働きを交感神経の働きよりも優位にする制御を行う
環境制御方法。
【請求項１５】
対象者が位置する空間の換気を行う換気装置を用いて前記空間における二酸化炭素濃度を１０００ｐｐｍ以上にすることにより、前記対象者の副交感神経の働きを交感神経の働きよりも優位にする制御を行う
環境制御方法。
【発明の詳細な説明】
【技術分野】
【０００１】
本発明は、環境制御システム、及び、環境制御方法に関する。
【背景技術】
【０００２】
特許文献１には、生理情報及び行動情報を併用することにより居住者の身体状態を検出し、上記身体状態に対して住宅設備機器を個人にとって最適に制御する環境制御機器が開示されている。
【先行技術文献】
【特許文献】
【０００３】
【特許文献１】特開２００１−０４１５３１号公報
【発明の概要】
【発明が解決しようとする課題】
【０００４】
本発明は、対象者の緊張感の緩和、及び、対象者のリラックス感の向上等を図ることができる環境制御システム及び環境制御方法を提供する。
【課題を解決するための手段】
【０００５】
本発明の一態様に係る環境制御システムは、対象者が位置する空間の温度を調整するための空調装置と、前記空調装置を用いて、前記空間の温度を上げる第一制御、及び、前記空間の温度を最大値から最小値までの幅が３℃未満となるように周期的に変化させる第二制御を行うことにより、前記対象者の副交感神経の働きを交感神経の働きよりも優位にする制御を行う制御装置とを備える。【０００６】
本発明の一態様に係る環境制御システムは、対象者が位置する空間の換気を行う換気装置と、前記換気装置を用いて、前記空間における二酸化炭素濃度を１０００ｐｐｍ以上にすることにより、前記対象者の副交感神経の働きを交感神経の働きよりも優位にする制御を行う制御装置とを備える。【０００７】
本発明の一態様に係る環境制御方法は、対象者が位置する空間の温度を調整するための空調装置を用いて、前記空間の温度を上げた後、前記空間の温度を最大値から最小値までの幅が３℃未満となるように周期的に変化させることにより、前記対象者の副交感神経の働きを交感神経の働きよりも優位にする制御を行う。【０００８】
本発明の一態様に係る環境制御方法は、対象者が位置する空間の換気を行う換気装置を用いて前記空間における二酸化炭素濃度を１０００ｐｐｍ以上にすることにより、前記対象者の副交感神経の働きを交感神経の働きよりも優位にする制御を行う。
【発明の効果】
【０００９】
本発明によれば、対象者の緊張感の緩和、及び、対象者のリラックス感の向上等を図ることができる環境制御システム及び環境制御方法が実現される。
【図面の簡単な説明】
【００１０】
【図１】図１は、実施の形態に係る環境制御システムの構成を示す図である。
【図２】図２は、制御装置の機能構成を示すブロック図である。
【図３】図３は、対象者の交感神経の働きを優位にする制御を説明するためのタイムチャートである。
【図４】図４は、光の照度のゆらぎの一例を示す図である。
【図５】図５は、交感神経の働きと副交感神経の働きとを示す図である。
【図６】図６は、実施の形態に係る環境制御システムの動作例１のフローチャートである。
【図７】図７は、交感神経（または副交感神経）の働きと生体情報の変化の関係を示す図である。
【図８】図８は、心拍数に基づく制御を説明するための図である。
【発明を実施するための形態】
【００１１】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付し、重複する説明は省略または簡略化される場合がある。
【００１３】
（実施の形態）
［環境制御システムの構成］
まず、実施の形態に係る環境制御システムの構成について説明する。図１は、実施の形態に係る環境制御システムの構成を示す図である。
【００１４】
図１に示される環境制御システム１０は、部屋などの閉空間である空間３００内の環境に関連する対象装置を制御することにより、対象者２００の自律神経の働きを調整する制御を行う。
【００１５】
自律神経には、対照的に働く交感神経及び副交感神経の２種類の神経が含まれる。環境制御システム１０は、副交感神経の働きを交感神経の働きよりも優位にする制御（以下、単に、副交感神経の働きを優位にする制御とも記載される）を行う。副交感神経の働きを交感神経の働きよりも優位にすることで、対象者２００の緊張感の緩和、及び、対象者２００のリラックス感の向上等を図ることができる。
【００１６】
環境制御システム１０は、具体的には、送風装置２０と、空調装置３０と、照明装置４０と、外光調整装置５０と、間接照明装置６０と、換気装置７０と、スピーカ８０と、香り発生装置９０と、環境計測装置１００と、生体情報計測装置１１０と、制御装置１２０とを備える。
【００１７】
送風装置２０は、対象者２００に向けて風を送出する装置である。送風装置２０は、具体的には、サーキュレータなどの比較的指向性の高い送風装置であるが、扇風機などであってもよい。
【００１８】
空調装置３０は、対象者２００が位置する空間３００の温度を調整するための装置である。空調装置３０は、空間３００の湿度を調整することもできる。空調装置３０は、空間３００の温度及び湿度を、制御装置１２０によって指示された温度及び湿度に近づける。
【００１９】
照明装置４０は、対象者２００が位置する空間３００を照らす直接照明用の装置である。照明装置４０は、例えば、ＬＥＤなどの発光素子を光源として有するシーリングライトであるが、ベースライトまたはダウンライトなどのその他の照明装置であってもよい。照明装置４０は、制御装置１２０によって調光及び調色が可能である。
【００２０】
外光調整装置５０は、対象者２００が位置する空間３００へ取り入れられる外光の量を調整する装置である。外光調整装置５０は、例えば、調光フィルムなどによって実現される電子ブラインドであるが、電動式ブラインド（電動式シャッター）などであってもよい。
【００２１】
間接照明装置６０は、対象者２００が位置する空間３００に配置された間接照明用の装置である。つまり、間接照明装置６０は、空間３００を規定する壁または天井などの構造物を照らす。間接照明装置６０は、例えば、発光色が異なる複数の光源を有することにより発光色を変更可能である。間接照明装置６０は、光源及び光学フィルタの組み合わせによって任意の発光色を実現してもよい。間接照明装置６０の発光色は、例えば、赤の単色光、緑の単色光、及び、青の単色光のいずれかに変更可能である。なお、間接照明装置６０が発する光の色は、特に限定されず、例えば、ユーザの好みに応じた任意の色であればよい。
【００２２】
換気装置７０は、対象者２００が位置する空間３００の換気を行う。換気装置７０は、空調装置３０と異なり、温度調整機能を有していない。換気装置７０は、例えば、全熱交換器（ＥＲＶ：Ｅｎｅｒｇｙ  Ｒｅｃｏｖｅｒｙ  Ｖｅｎｔｉｌａｔｏｒ）であるが、換気扇などの熱交換をともなわない換気装置であってもよい。また、換気装置７０は、空間３００に設けられた窓の開閉装置であってもよい。
【００２３】
スピーカ８０は、対象者２００が位置する空間３００に配置され、音声または音楽などを出力する装置である。
【００２４】
香り発生装置９０は、対象者２００が位置する空間に配置された、香りを発する装置である。香り発生装置９０は、例えば、アロマディフューザであるが、その他の香り発生装置であってもよい。
【００２５】
環境計測装置１００は、対象者２００が位置する空間３００における環境情報を計測する装置である。環境計測装置１００は、例えば、空間３００における温度を計測する温度センサ、空間３００における湿度を計測する湿度センサ、空間３００における照度を計測する照度センサ、空間３００における二酸化炭素（ＣＯ２）濃度を計測するＣＯ２センサなどである。
【００２６】
生体情報計測装置１１０は、対象者２００の生体情報を計測する装置である。生体情報計測装置１１０は、対象者２００の体温、血圧、心拍数、脈波、発汗量、瞳孔径、表皮温度、または、表情などを生体情報として計測する。生体情報計測装置１１０は、心拍、脈波、及び、呼吸変動波形から算出されるＶＬＦ（Ｖｅｒｙ  Ｌｏｗ  Ｆｒｅｑｕｅｎｃｙ）、ＨＦ（Ｈｉｇｈ  Ｆｒｅｑｕｅｎｃｙ）、ＬＦ（Ｌｏｗ  Ｆｒｅｑｕｅｎｃｙ）、吸気時間、排気時間、ポーズ時間などを計測してもよい。生体情報計測装置１１０は、例えば、対象者２００の体に装着されるウェアラブル型のセンサ（言い換えれば、接触型のセンサ）であるが、非接触型のセンサであってもよい。非接触型のセンサとしては、心拍数、呼吸数、脈波などを計測できる電波センサ、瞳孔径または表情を計測できるカメラなどが例示される。
【００２７】
制御装置１２０は、送風装置２０、空調装置３０、照明装置４０、外光調整装置５０、間接照明装置６０、換気装置７０、スピーカ８０、及び、香り発生装置９０などの対象装置を制御する装置である。図２は、制御装置１２０の機能構成を示すブロック図である。
【００２８】
図２に示されるように、制御装置１２０は、制御部１２１と、通信部１２２と、計時部１２３と、記憶部１２４と、操作受付部１２５とを備える。
【００２９】
制御部１２１は、通信部１２２に制御信号を送信させることにより、対象装置を制御する。制御部１２１は、例えば、マイクロコンピュータによって実現されるが、プロセッサによって実現されてもよい。
【００３０】
通信部１２２は、制御装置１２０が、対象装置と通信するための通信回路（言い換えれば、通信モジュール）である。通信部１２２は、例えば、制御部１２１の制御に基づいて対象装置に制御信号を送信する。また、通信部１２２は、環境計測装置１００から空間３００の環境情報を受信し、生体情報計測装置１１０から対象者２００の生体情報を受信する。通信部１２２は、例えば、無線通信を行うが、有線通信を行ってもよい。通信部１２２によって行われる通信の通信規格は特に限定されない。
【００３１】
計時部１２３は、現在時刻を計測する。計時部１２３は、例えば、リアルタイムクロックなどによって実現される。
【００３２】
記憶部１２４は、制御部１２１が対象装置を制御するための制御プログラムなどが記憶される記憶装置である。記憶部１２４は、例えば、半導体メモリによって実現される。
【００３３】
操作受付部１２５は、対象者２００などのユーザの操作（例えば、副交感神経の働きを優位にする制御に関する設定操作）を受け付ける。操作受付部１２５は、タッチパネルまたはハードウェアボタンなどによって実現される。
【００３４】
［空調装置の制御］
上述のように、環境制御システム１０は、対象者２００の副交感神経の働きを優位にする制御を行うことができる。以下、このような制御の詳細について説明する。図３は、対象者２００の副交感神経の働きを優位にする制御を説明するためのタイムチャートである。なお、図３は、時間０分が制御の開始時刻であり、一例として開始時刻までは快適性のみを考慮した対象装置の制御が行われているものとする。図３では、０分〜９０分までが図示されているが、９０分以降については、３０分〜９０分と同様の制御が繰り返される。
【００３５】
なお、副交感神経の働きを優位にする制御においては、少なくとも１つの対象装置が制御されればよいが、複数の対象装置が制御されてもよい。これにより、より副交感神経の働きを優位にすることができる。
【００３６】
まず、空調装置３０の制御について説明する。制御装置１２０の制御部１２１は、副交感神経の働きを優位にする制御の開始当初に、空調装置３０を用いて空間３００の温度を上げる。制御部１２１は、具体的には、制御開始直後に３０分かけて周囲の温度を基準温度から３℃上昇させる。なお、温度を上げるために要する時間（３０分）は、一例であり、特に限定されない。温度は３０分かけて周囲の温度を３℃程度、上昇させることが望ましい。
【００３７】
このように空間３００を基準温度よりもやや暖かめの環境とすることで、対象者２００の副交感神経の働きを優位にすることができる。基準温度は、季節によって異なり、例えば、夏場は２５℃以上２７℃以下の所定温度であり、春及び秋は２１℃以上２３℃以下の所定温度であり、冬場は１７℃以上２０℃以下の所定温度である。
【００３８】
制御部１２１は、その後、３０分かけて周囲の温度を１℃低下させ、続いて３０分かけて周囲の温度を１℃上昇させる。その後はこのような温度変化が繰り返される。つまり、制御部１２１は、空調装置３０を用いて、空間３００の温度を、最大値から最小値までの幅が３℃未満となるように周期的に変化させる。なお、対象者２００の周囲の温度は、例えば、環境計測装置１００によって計測され、制御部１２１は環境計測装置１００によって計測された温度に基づいて空調装置３０を制御する。制御部１２１は、環境計測装置１００を用いずに、空調装置３０の温度設定を上記のように６０分周期で上昇及び下降させてもよい。なお、温度を変化させる周期（６０分）は一例であり、特に限定されない。
【００３９】
このように、制御部１２１は、所定の周期（例えば、６０分周期）で温度をわずかに（具体的には、３℃未満程度）上昇及び下降させる。一般に人は、体が発熱すると汗をかいて体を冷やし、また時間が経つと体が発熱するという基礎代謝を繰り返している。対象者２００の温度を一定にすると、この基礎代謝を無視することとなり、暑すぎると感じたり、寒すぎると感じたりしてしまう。
【００４０】
これに対し、温度が基礎代謝を想定した周期でわずかに変化すれば、対象者２００に与える温度による刺激を低減しつつ、快適性を高めることができる。このため、対象者２００の副交感神経の働きを優位にすることができる。
【００４１】
なお、制御部１２１は、副交感神経の働きを優位にする制御が行われている間、空調装置３０を用いて、空間３００の湿度を４０％以上６０％以下の範囲にする。
【００４２】
［換気装置の制御］
次に、換気装置７０の制御について説明する。制御部１２１は、換気装置７０を用いて空間３００における二酸化炭素濃度を１０００ｐｐｍ以上にする。１０００ｐｐｍは、所定の濃度の一例である。制御部１２１は、例えば、空間３００における二酸化炭素濃度が低いときに、換気装置７０の換気量を低下させることにより、空間３００における二酸化炭素濃度を１０００ｐｐｍ以上にする。制御部１２１は、換気装置７０を停止させることにより、空間３００における二酸化炭素濃度を１０００ｐｐｍ以上にしてもよい。なお、空間３００の二酸化炭素濃度は、例えば、環境計測装置１００によって計測され、制御部１２１は環境計測装置１００によって計測された二酸化炭素濃度に基づいて換気装置７０を制御する。
【００４３】
このように、空間３００における二酸化炭素濃度が１０００ｐｐｍ以上に調整されれば、対象者２００の副交感神経の働きを優位にすることができる。
【００４４】
［他の対象装置の制御］
以下、他の対象装置の制御について引き続き図３を参照しながら説明する。
【００４５】
まず、送風装置２０の制御について説明する。制御部１２１は、副交感神経の働きを優位にする制御において送風装置２０による送風を停止させる。なお、図３の例では、制御開始前から送風装置２０が停止したままであるが、制御開始前に送風装置２０が動作している場合は、送風装置２０を停止させる制御が行われる。
【００４６】
これにより、対象者２００に送風装置２０が送出する風によって与える刺激が低減されるため副交感神経の働きを優位にすることができる。なお、制御開始前に送風装置２０が動作している場合は、制御開始前よりも風速を弱める制御が行われてもよく、このような制御によっても副交感神経の働きを優位にすることができる。
【００４７】
次に、照明装置４０の制御について説明する。制御部１２１は、副交感神経の働きを優位にする制御の開始当初に、照明装置４０を用いて空間３００の照度を下げる。制御部１２１は、例えば、当初７５０ルクスであった空間３００の照度を制御開始から５分間で７５０ルクスまで下げる。対象者２００が照度変動に嫌悪感を抱かない程度に照度を時間変動させることが好ましい。なお、ここでの「照明装置４０を空間３００の照度を下げる」には、照明装置４０を消灯することが含まれる。
【００４８】
これにより、空間３００を暗くすることによって対象者２００に与える光刺激が弱められるため、対象者２００の副交感神経の働きを優位にすることができる。
【００４９】
また、制御部１２１は、副交感神経の働きを優位にする制御の開始当初に、照明装置４０が発する光の色温度を下げる。対象者２００が色度変動に嫌悪感を抱かない程度に色度を時間変動させることが好ましい。なお、図３の例では、当初５０００Ｋであった照明装置４０が発する光の色温度が２５００Ｋまで下げられる。
【００５０】
これにより、空間３００を色温度の低い照明環境にすることによって対象者２００の副交感神経の働きを優位にすることができる。
【００５１】
次に、外光調整装置５０の制御について説明する。制御部１２１は、副交感神経の働きを優位にする制御の開始当初に、外光調整装置５０を用いて空間３００へ取り入れられる外光の光量を低減する。制御部１２１は、具体的には、外光調整装置５０の光の透過率を下げる。対象者２００が照度変動に嫌悪感を抱かない程度に色度を時間変動させることが好ましい。なお、ここでの「外光調整装置５０の光の透過率を下げる」には、外光調整装置５０の透過率を０％にして遮断することが含まれる。
【００５２】
これにより、空間３００を暗くすることによって対象者２００に与える光刺激が弱められるため、対象者２００の副交感神経の働きを優位にすることができる。
【００５３】
次に、間接照明装置６０の制御について説明する。制御部１２１は、副交感神経の働きを優位にする制御において間接照明装置６０が発する光の発光色を変更する。制御部１２１は、例えば、制御開始から５分間で輝度（実質的には照度）を０（無色）Ｃｄ／ｍ２から１０Ｃｄ／ｍ２まで上げる。この時の発光色は、例えば、青色であるが、エメラルドグリーンなどであってもよい。制御部１２１は、副交感神経の働きを優位にする制御の開始当初に、間接照明装置６０が出射する光の色度を、当該色度のＣＩＥ  １９３１色空間の色度図のｘ座標が小さくなるように変更すればよい。これにより、対象者２００の副交感神経の働きを優位にすることができる。
【００５４】
また、図３では正確に図示されていないが、制御部１２１は、間接照明装置６０が発する光の照度をゆらがせる。つまり、間接照明装置６０が発する光の明るさを１ｓｅｃ〜１０ｓｅｃ程度の数秒オーダーの周期（一定周期でもよいし、ランダムな周期であってもよい）で明るくしたり暗くしたりする。間接照明装置６０が発する光は、一定の振幅でゆらいでもよいし、ランダムな振幅でゆらいでもよい。図４は、光の照度のゆらぎの一例を示す図である。これにより、対象者２００の副交感神経の働きを優位にすることができる。
【００５５】
次に、スピーカ８０及び香り発生装置９０の制御について説明する。制御部１２１は、副交感神経の働きを優位にする制御において、スピーカ８０が発する音を変化させる。ここでの「音を変化させる」には、出音されていない状態で出音を開始することが含まれる。スピーカ８０は、例えば、ヒーリング音楽などのリラックス効果のある音、または、比較的スローテンポな曲などを出力する。これにより、対象者２００の副交感神経の働きを優位にすることができる。
【００５６】
また、制御部１２１は、副交感神経の働きを優位にする制御において、香り発生装置が発する香りを変化させる。ここでの「香りを変化させる」には、香りが発生していない状態で香りの発生を開始することが含まれる。香り発生装置９０は、例えば、フィトンチッドなどが含まれる刺激の少ない香り、または、ラベンダーの香りなどを発生させる。これにより、対象者２００の副交感神経の働きを優位にすることができる。
【００５７】
［動作例１］
一般に、人の自律神経は、昼間は交感神経の働きが副交感神経の働きよりも優位になり、夜間は交感神経の働きが副交感神経の働きよりも優位になる。図５は、交感神経の働きと副交感神経の働きとを示す図である。つまり、副交感神経の働きを優位にすべき時間帯は、ある程度決まっているといえる。
【００５８】
そこで、制御装置１２０は、上述の副交感神経の働きを優位にする制御を、副交感神経の働きを優位にすべき時間帯に実行（開始）する。図６は、このような動作例１のフローチャートである。
【００５９】
制御部１２１は、計時部１２３によって計測される現在時刻を取得し（Ｓ１１）、取得された現在時刻が開始時刻であるか否かを判定する（Ｓ１２）。開始時刻は、例えば、ＰＭ８：００などであり、あらかじめ設定されるが、操作受付部１２５が受け付けた対象者２００の設定操作によって設定されてもよい。
【００６０】
制御部１２１は、現在時刻が開始時刻であると判定すると（Ｓ１２でＹｅｓ）、副交感神経の働きを優位にする制御を実行する（Ｓ１３）。また、制御部１２１は、現在時刻が開始時刻でないと判定すると（Ｓ１２でＮｏ）、現在時刻の取得（Ｓ１１）、及び、現在時刻が開始時刻であるか否かの判定を継続する（Ｓ１２）。
【００６１】
このように、環境制御システム１０は、現在時刻情報を取得し、取得した現在時刻情報に基づいて副交感神経の働きを優位にする制御を実行する。このような環境制御システム１０は、副交感神経の働きを優位にする制御を、副交感神経の働きを優位にすべき時間帯に実行（開始）することができる。つまり、環境制御システム１０は、対象者２００の自律神経の乱れを抑制することができる。
【００６２】
［動作例２］
制御装置１２０は、対象者２００の生体情報を取得し、取得した生体情報に基づいて制御を実行してもよい。生体情報は、生体情報計測装置１１０によって計測される。図７は、交感神経及び副交感神経の働きと生体情報の変化の関係を示す図である。図７に示されるように、対象者２００の体温、血圧、心拍数、脈波、発汗量、瞳孔径、表皮温度、及び、表情などの生体情報は、副交感神経の働きと関連しており、副交感神経の働きを優位にする制御を開始するための指標として利用できる。
【００６３】
図８は、心拍数に基づく制御の実行タイミングを説明するための図である。例えば、対象者２００の１日の安静時の心拍数の変化を複数日分取得し、記憶部１２４には、これらを平均した１日の心拍数の変化が心拍数の基準データとして記憶される。基準データは、図８において実線で示される。なお、このような基準データは、対象者２００に最適化されたものであるが、当該基準データに代えて、任意の人に適用される絶対的な基準データが用いられてもよい。
【００６４】
制御部１２１は、生体情報計測装置１１０によって計測される対象者２００の心拍数をモニタし、記憶部１２４に記憶された基準データと比較する。心拍数が基準データよりも高い場合には、副交感神経の働きが弱いと推定される。したがって、副交感神経の働きを優位にする制御を行う必要があると考えられる。
【００６５】
そこで、制御部１２１は、例えば、生体情報計測装置１１０によって計測される心拍数が基準データよりも閾値ａ（ａ＞０）だけ大きくなった時刻ｔに、副交感神経の働きを優位にする制御を実行（開始）する。このような環境制御システム１０は、対象者２００の副交感神経の働きが通常よりも弱いと推定される場合に、副交感神経の働きを優位にする制御を実行することができる。つまり、環境制御システム１０は、対象者２００の自律神経の乱れを抑制することができる。なお、心拍数以外の生体情報を用いても同様の動作が可能である。
【００６６】
［効果等］
以上説明したように、環境制御システム１０は、対象者２００が位置する空間３００の温度を調整するための空調装置３０と、空調装置３０を用いて、空間３００の温度を上げる第一制御、及び、空間３００の温度を最大値から最小値までの幅が３℃未満となるように周期的に変化させる第二制御を行うことにより、対象者２００の副交感神経の働きを交感神経の働きよりも優位にする制御を行う制御装置１２０とを備える。
【００６７】
このような環境制御システム１０は、空間３００をやや暖かめの環境にした後、空間３００の温度を周期的にわずかに変化させることで、対象者２００に与える温度による刺激を低減しつつ、快適性を高めることができるため、対象者２００の副交感神経の働きを優位にすることができる。環境制御システム１０は、対象者２００の副交感神経の働きを優位にすることで、対象者２００の緊張感の緩和、及び、対象者２００のリラックス感の向上等を図ることができる。
【００６８】
また、環境制御システム１０は、対象者２００が位置する空間３００の換気を行う換気装置７０と、換気装置７０を用いて、空間３００における二酸化炭素濃度を１０００ｐｐｍ以上にすることにより、対象者２００の副交感神経の働きを交感神経の働きよりも優位にする制御を行う制御装置１２０とを備える。
【００６９】
このような環境制御システム１０は、空間３００における二酸化炭素濃度を１０００ｐｐｍ以上に調整することで、対象者２００の副交感神経の働きを優位にすることができる。環境制御システム１０は、対象者２００の副交感神経の働きを優位にすることで、対象者２００の緊張感の緩和、及び、対象者２００のリラックス感の向上等を図ることができる。
【００７０】
また、例えば、環境制御システム１０は、さらに、空間３００の温度を調整するための空調装置３０を備える。制御装置１２０は、上記制御において、空調装置３０を用いて、空間３００の温度を上げる第一制御、及び、空間３００の温度を最大値から最小値までの幅が３℃未満となるように周期的に変化させる第二制御を行う。
【００７１】
このような環境制御システム１０は、空間３００をやや暖かめの環境にした後、空間３００の温度を周期的にわずかに変化させることで、対象者２００に与える温度による刺激を低減しつつ、快適性を高めることができるため、対象者２００の副交感神経の働きを優位にすることができる。
【００７２】
また、例えば、第一制御は、空調装置３０を用いて一定時間をかけて空間３００の温度を上げる制御であり、第二制御は、空調装置３０を用いて、一定時間とは異なる周期で、空間３００の温度を最大値から最小値までの幅が３℃未満となるように周期的に変化させる制御である。
【００７３】
このような環境制御システム１０は、空間３００をやや暖かめの環境にした後、空間３００の温度を周期的にわずかに変化させることで、対象者２００に与える温度による刺激を低減しつつ、快適性を高めることができるため、対象者２００の副交感神経の働きを優位にすることができる。
【００７４】
また、例えば、環境制御システム１０は、さらに、空間３００を照らす照明装置４０を備える。制御装置１２０は、上記制御の開始当初に、照明装置４０を用いて空間３００の照度を下げる。
【００７５】
このような環境制御システム１０は、空間３００を暗くすることで対象者２００に与える光刺激を弱めることにより、対象者２００の副交感神経の働きを優位にすることができる。
【００７６】
また、例えば、環境制御システム１０は、さらに、空間３００を照らす照明装置４０を備える。制御装置１２０は、上記制御の開始当初に、照明装置４０が発する光の色温度を下げる。
【００７７】
このような環境制御システム１０は、空間３００を色温度の低い照明環境にすることによって対象者２００の副交感神経の働きを優位にすることができる。
【００７８】
また、例えば、環境制御システム１０は、さらに、空間３００へ取り入れられる外光の量を調整する外光調整装置５０を備える。制御装置１２０は、上記制御の開始当初に、外光調整装置５０を用いて空間３００へ取り入れられる外光の光量を低減する。
【００７９】
このような環境制御システム１０は、空間３００を暗くすることで対象者２００に与える光刺激を弱めることにより、対象者２００の副交感神経の働きを優位にすることができる。
【００８０】
また、例えば、環境制御システム１０は、さらに、空間３００に配置された間接照明装置６０を備える。制御装置１２０は、上記制御において、間接照明装置６０が発する光の照度をゆらがせる。
【００８１】
このような環境制御システム１０は、対象者２００の副交感神経の働きを優位にすることができる。
【００８２】
また、例えば、環境制御システム１０は、さらに、空間３００に配置された間接照明装置６０を備える。制御装置１２０は、上記制御において、間接照明装置６０が発する光の発光色を変更可能である。
【００８３】
このような環境制御システム１０は、間接照明装置６０を青系（または緑系）の色で発行させることにより、対象者２００の副交感神経の働きを優位にすることができる。
【００８４】
また、例えば、環境制御システム１０は、さらに、空間３００に配置された、スピーカ８０及び香り発生装置９０を備える。制御装置１２０は、上記制御において、スピーカ８０が発する音を変化させ、かつ、香り発生装置９０が発する香りを変化させる。
【００８５】
このような環境制御システム１０は、リラックス効果のある音を出力し、かつ、リラックス効果のある香りを発生させることで、対象者２００の副交感神経の働きを優位にすることができる。
【００８６】
また、例えば、環境制御システム１０は、さらに、対象者２００が位置する空間３００における環境情報を計測する環境計測装置１００を備える。環境計測装置１００は、計測装置の一例である。
【００８７】
このような環境制御システム１０は、空間３００における環境に基づいて上記制御を行うことができる。
【００８８】
また、例えば、制御装置１２０は、現在時刻情報を取得し、取得した現在時刻情報に基づいて上記制御を実行する。
【００８９】
このような環境制御システム１０は、副交感神経の働きを優位にする制御を、副交感神経の働きを優位にすべき時間帯に実行することができる。つまり、環境制御システム１０は、対象者２００の自律神経の乱れを抑制することができる。
【００９０】
また、例えば、制御装置１２０は、対象者２００の生体情報を取得し、取得した生体情報に基づいて上記制御を実行する。
【００９１】
このような環境制御システム１０は、生体情報に基づいて対象者２００の副交感神経の働きが通常よりも弱いと推定される場合に、副交感神経の働きを優位にする制御を実行することができる。つまり、環境制御システム１０は、対象者２００の自律神経の乱れを抑制することができる。
【００９２】
また、環境制御システム１０などのコンピュータによって実行される環境制御方法は、対象者２００が位置する空間３００の温度を調整するための空調装置３０を用いて、空間３００の温度を上げた後、空間３００の温度を最大値から最小値までの幅が３℃未満となるように周期的に変化させることにより、対象者２００の副交感神経の働きを交感神経の働きよりも優位にする制御を行う。
【００９３】
このような環境制御方法は、空間３００をやや暖かめの環境にした後、空間３００の温度を周期的にわずかに変化させることで、対象者２００に与える温度による刺激を低減しつつ、快適性を高めることができるため、対象者２００の副交感神経の働きを優位にすることができる。環境制御方法は、対象者２００の副交感神経の働きを優位にすることで、対象者２００の緊張感の緩和、及び、対象者２００のリラックス感の向上等を図ることができる。
【００９４】
また、環境制御システム１０などのコンピュータによって実行される別の環境制御方法は、対象者２００が位置する空間の換気を行う換気装置７０を用いて空間３００における二酸化炭素濃度を１０００ｐｐｍ以上にすることにより、対象者２００の副交感神経の働きを交感神経の働きよりも優位にする制御を行う。
【００９５】
このような環境制御方法は、空間３００における二酸化炭素濃度を１０００ｐｐｍ以上に調整することで、対象者２００の副交感神経の働きを優位にすることができる。環境制御方法は、対象者２００の副交感神経の働きを優位にすることで、対象者２００の緊張感の緩和、及び、対象者２００のリラックス感の向上等を図ることができる。
【００９６】
（その他の実施の形態）
以上、実施の形態について説明したが、本発明は、上記実施の形態に限定されるものではない。
【００９７】
例えば、上記実施の形態において、特定の処理部が実行する処理を別の処理部が実行してもよい。また、複数の処理の順序が変更されてもよいし、複数の処理が並行して実行されてもよい。
【００９８】
また、上記実施の形態において、各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００９９】
また、各構成要素は、ハードウェアによって実現されてもよい。各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１００】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【０１０１】
例えば、本発明は、環境制御方法として実現されてもよいし、環境制御方法をコンピュータに実行させるためのプログラムとして実現されてもよいし、このようなプログラムが記録されたコンピュータ読み取り可能な非一時的な記録媒体として実現されてもよい。
【０１０２】
また、本発明は、上記実施の形態の制御装置として実現されてもよいし、コンピュータをこのような制御装置として動作させるための当該コンピュータによって実行されるプログラムとして実現されてもよい。また、本発明は、このようなプログラムが記録されたコンピュータ読み取り可能な非一時的な記録媒体として実現されてもよい。
【０１０３】
また、上記実施の形態では、環境制御システムは、複数の装置によって実現されたが、単一の装置として実現されてもよい。環境制御システムが複数の装置によって実現される場合、上記実施の形態で説明された環境制御システムが備える構成要素は、複数の装置にどのように振り分けられてもよい。
【０１０４】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１０５】
１０  環境制御システム
２０  送風装置
３０  空調装置
４０  照明装置
５０  外光調整装置
６０  間接照明装置
７０  換気装置
８０  スピーカ
９０  香り発生装置
１００  環境計測装置（計測装置）
１２０  制御装置
２００  対象者
３００  空間
【図１】
2020090640.tif 000003
【図２】
2020090640.tif 000004
【図３】
2020090640.tif 000005
【図４】
2020090640.tif 000006
【図５】
2020090640.tif 000007
【図６】
2020090640.tif 000008
【図７】
2020090640.tif 000009
【図８】
2020090640.tif 000010
【国際調査報告】
2020090640.tif 000011
2020090640.tif 000012